(57)【要約】【課題】複数の第一放送番組の縮小された映像を表示する選局番組を表示し、任意の第一放送番組が選択されたときに、当該選択された第一放送番組の映像を表示することができる映像受信装置を提供する。【解決手段】複数の第一放送番組と、複数の第一放送番組の縮小された映像を表示する選局番組とを含む映像コンテンツを受信する放送波受信部２３と、選局番組を表示する選局モードにおいて、選局番組の映像に、選局番組に含まれる複数の第一放送番組の映像のうちの１つを指し示すカーソルの映像を合成し、合成した映像を外部の映像表示装置に出力するカーソル映像合成処理と、選局モードにおいて、第一放送番組の視聴要求を受け付けた場合に、カーソルが指し示す第一放送番組を特定し、特定した第一放送番組の映像をＴＶ６０に出力する通常モードに切り替えるモード切り替え処理とを実行する制御部２１とを備える。【選択図】図１０
2014192756.tif 000002
【特許請求の範囲】
【請求項１】
複数の第一放送番組と、前記複数の第一放送番組の縮小された映像を表示する選局番組とを含む映像コンテンツを受信する映像コンテンツ受信部と、
前記選局番組を表示する選局モードにおいて、前記選局番組の映像に、前記選局番組に含まれる前記複数の第一放送番組の映像のうちの１つを指し示すカーソルの映像を合成し、合成した映像を外部の映像表示装置に出力するカーソル映像合成処理と、
前記選局モードにおいて、第一放送番組の視聴要求を受け付けた場合に、前記カーソルが指し示す第一放送番組を特定し、特定した前記第一放送番組の映像を前記映像表示装置に出力する通常モードに切り替えるモード切り替え処理とを実行する映像処理部とを備える
映像受信装置。
【請求項２】
前記映像コンテンツは、前記複数の第一放送番組それぞれの音声と、前記複数の第一放送番組それぞれの音声を多重化した多重化音声とを含み、
前記映像処理部は、さらに、前記選局モードにおいて、前記カーソルが示す第一放送番組の音声を前記多重化音声から抽出し、前記映像表示装置に出力する
請求項１に記載の映像受信装置。
【請求項３】
前記映像処理部は、さらに、前記選局モードにおいて、前記カーソルの移動要求を受け付けた場合、移動後の前記カーソルが示す第一放送番組を特定し、前記映像表示装置に出力する音声を、移動前の前記カーソルが示す第一放送番組の音声から、移動後の前記カーソルが示す前記第一放送番組の音声に切り替える音声切り替え処理を実行する
請求項２に記載の映像受信装置。
【請求項４】
前記映像処理部は、さらに、
前記選局モードにおいて、前記カーソルの移動要求を受け付けた場合、
前記カーソル映像合成処理において、前記移動要求が示す新たな位置に前記カーソルの映像を合成する
請求項１〜３の何れか１項に記載の映像受信装置。
【請求項５】
さらに、前記カーソルの位置と、前記映像コンテンツから前記カーソルの位置に対応する第一放送番組を特定するための対応チャンネル情報との対応関係を示すマッピング情報を取得するマッピング情報取得部を備え、
前記映像処理部は、前記選局モードにおいて、前記マッピング情報を用いて、前記カーソルの位置に対応する第一放送番組の対応チャンネル情報を特定する
請求項１〜４の何れか１項に記載の映像受信装置。
【請求項６】
前記複数の第一放送番組に、視聴するための契約が必要な第二放送番組が含まれている場合において、
前記選局番組の視聴要求を受け付けたときに、前記第二放送番組が契約されているか未契約であるかを示す契約情報を取得する契約情報取得部を備え、
前記映像処理部は、さらに、前記選局モードにおいて、前記第二放送番組が未契約である場合に、前記第二放送番組が未契約であることを示す映像を、前記選局番組の映像に合成するマスク処理を行う
請求項１〜５の何れか１項に記載の映像受信装置。
【請求項７】
前記映像処理部は、さらに、前記選局番組を記憶部に記憶する選局番組録画処理において、前記マスク処理後の前記選局番組の映像を前記記憶部に記憶する
請求項６に記載の映像受信装置。
【請求項８】
複数の第一放送番組と、前記複数の第一放送番組の縮小された映像を表示する選局番組とを含む映像コンテンツを受信するステップと、
前記選局番組を表示する選局モードにおいて、前記選局番組の映像に、前記選局番組に含まれる前記複数の第一放送番組の映像のうちの１つを指し示すカーソルの映像を合成し、合成した映像を外部の映像表示装置に出力するカーソル映像合成処理を実行するステップと、
前記選局モードにおいて、第一放送番組の視聴要求を受け付けた場合、前記カーソルが指し示す第一放送番組を特定し、特定した前記第一放送番組の映像を前記映像表示装置に出力する通常モードに移行するモード切り替え処理を実行するステップとを備える
映像受信方法。
【発明の詳細な説明】
【技術分野】
【０００１】
本開示は、映像コンテンツを受信して番組の映像を表示する映像受信装置および映像受信方法に関する。
【背景技術】
【０００２】
特許文献１は、ＢＳ放送やケーブルテレビ等、視聴可能な番組数が多い場合に、視聴可能な番組のアイコン（サムネイル画像）の一覧と、その詳細情報とを表示する番組表示制御装置を開示する。この番組表示制御装置では、ユーザの指定した分類条件に応じた番組一覧を表示する。また、番組一覧では、番組のサムネイル画像を表示する。
【先行技術文献】
【特許文献】
【０００３】
【特許文献１】特開２０１２−２０９８２９号公報
【発明の概要】
【発明が解決しようとする課題】
【０００４】
本開示は、複数の第一放送番組の縮小された映像を表示する選局番組を表示し、任意の第一放送番組が選択されたときに、当該選択された第一放送番組の映像を表示することができる映像受信装置および映像受信方法を提供する。
【課題を解決するための手段】
【０００５】
本開示における映像受信装置は、複数の第一放送番組と、前記複数の第一放送番組の縮小された映像を表示する選局番組とを含む映像コンテンツを受信する映像コンテンツ受信部と、前記選局番組を表示する選局モードにおいて、前記選局番組の映像に、前記選局番組に含まれる前記複数の第一放送番組の映像のうちの１つを指し示すカーソルの映像を合成し、合成した映像を外部の映像表示装置に出力するカーソル映像合成処理と、前記選局モードにおいて、第一放送番組の視聴要求を受け付けた場合に、前記カーソルが指し示す第一放送番組を特定し、特定した前記第一放送番組の映像を前記映像表示装置に出力する通常モードに切り替えるモード切り替え処理とを実行する映像処理部とを備える。
【発明の効果】
【０００６】
本開示における映像受信装置は、複数の第一放送番組の動画を含む選局番組を表示し、第一放送番組が選択されたときに当該第一放送番組の表示を行うことができる。
【図面の簡単な説明】
【０００７】
【図１】実施の形態における映像受信装置と、放送局、ポータルサイトおよびＴＶとの関係を示す図
【図２】放送局の構成の一例を示すブロック図
【図３】選局番組の一例を示す図
【図４】映像受信装置の構成の一例を示すブロック図
【図５】ポータルサイトの構成の一例を示すブロック図
【図６】マッピング情報の一例を示す図
【図７】契約情報の一例を示す図
【図８】映像受信装置の動作の一例を示すフローチャート
【図９】映像受信装置の選局番組の表示処理の処理手順を示すフローチャート
【図１０】映像処理後の選局番組の映像の一例を示す図
【図１１】映像受信装置の切り替え処理の処理手順を示すフローチャート
【図１２】映像受信装置の切り替え処理の処理手順を示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
（実施の形態）
以下、実施の形態の映像受信装置および映像受信方法について、図１〜図１２を用いて説明する。
【００１１】
［１−１．構成］
先ず、本実施の形態の映像受信装置、および、その周辺装置の構成について、図１を基に説明する。
【００１２】
本実施の形態では、映像受信装置は、有線放送の放送波（映像コンテンツの一例）を受信するＳＴＢ（Ｓｅｔ  Ｔｏｐ  Ｂｏｘ、セットトップボックス）である場合を例に説明する。
【００１３】
ＳＴＢ２０は、放送局１０から有線放送の放送波を受け付け、ＳＴＢ２０用のリモコン５０の操作に応じて、ＴＶ（テレビジョン）６０に映像を表示する。また、ＳＴＢ２０は、インターネットあるいはイントラネット等のネットワーク４０を介して、ポータルサーバ３０に接続されている。
【００１４】
なお、以下に示す実施の形態では、特に記載しない場合、「映像」とは、動画のことを指し、静止画は含まない。また、「画像」とは、静止画のことを指す。
【００１５】
［１−１−１．放送局の構成］
放送局１０は、複数の第一放送番組を含む第一放送波を用い、複数の第一放送番組と、複数の第一放送番組の縮小された映像を表示する選局番組とを含む第二放送波を生成し、ＳＴＢ２０に出力する。
【００１６】
図２は、放送局１０の構成を示すブロック図である。
【００１７】
放送局１０は、図２に示すように、放送設備１１と、複数のチューナ部１２と、選局映像生成部１３と、音声多重化部１４と、混合部１５とを備えている。
【００１８】
放送設備１１は、複数の第一放送番組を含む第一放送波を生成する設備である。
【００１９】
チューナ部１２１〜１２ｎ（ｎは任意の整数）は、それぞれ、第一放送波から、対応する第一放送番組の映像および音声をデコードする。なお、チューナ部１２の数は、第一放送番組の総数、あるいは、選局番組の映像の生成に用いる第一放送番組の数と同じである必要はない。
【００２０】
選局映像生成部１３は、チューナ部１２１〜１２ｎから出力される複数の第一放送番組の映像を用いて、選局番組を生成する。選局番組では、複数の第一放送番組の縮小された映像が同一画面上に表示される。
【００２１】
図３は、選局番組の一例を示す図である。図３に示す選局番組の映像１００では、選局番組であることを表示する第一領域１０１と、縮小された複数の第一放送番組の映像を表示する第二領域１０２とを備えている。第二領域１０２は、ここでは、１６の第三領域１０３を備え、１６の第一放送番組を表示可能に構成されている。
【００２２】
選局映像生成部１３は、図３の場合、１６の第一放送番組の映像のそれぞれを、第三領域１０３の大きさに応じて縮小し、対応する第三領域１０３に貼り付けることにより、選局番組の映像を生成する。なお、第一放送番組の縮小された映像は、縮小処理のため、解像度が低い状態となっている。
【００２３】
音声多重化部１４は、チューナ部１２１〜１２ｎから出力される複数の第一放送番組の音声を多重化して、多重化音声を生成する。
【００２４】
混合部１５は、選局映像生成部１３が生成した映像と音声多重化部１４が生成した多重化音声とを含む選局番組のデータを生成し、放送設備１１から送信される第一放送波に、選局番組のデータを重畳した第二放送波を生成し、ＳＴＢ２０に送信する。言い換えると、混合部１５では、選局番組は、放送番組の１つとして取り扱われる。
【００２５】
［１−１−２．ＳＴＢ２０（映像受信装置）の構成］
ＳＴＢ２０は、上述したように、放送局１０から第二放送波を受け付け、ＳＴＢ２０のリモコン５０の操作に応じて、ＴＶ６０に映像を表示する。
【００２６】
図４は、ＳＴＢ２０の構成の一例を示すブロック図である。
【００２７】
ＳＴＢ２０は、図４に示すように、制御部２１と、操作情報受信部２２と、放送波受信部２３と、通信部２４と、記憶部２５と、映像音声出力部２６とを備えている。
【００２８】
制御部２１は、ＳＴＢ２０を構成する各機能を制御する。制御部２１は、一般的には、ＣＰＵ（Ｃｅｎｔｒａｌ  Ｐｒｏｃｅｓｓｉｎｇ  Ｕｎｉｔ）または演算プロセッサ等で構成されており、ＣＰＵが後述する記憶部２５に記憶された制御プログラムを実行することにより、ＳＴＢ２０を構成する各機能を制御する。
【００２９】
制御部２１は、本実施の形態では、選局番組を表示する選局モード、第一放送番組を表示する通常モード、選局番組を録画する選局番組録画モード、および、第一放送番組を録画する通常録画モード等を含む動作モードに応じて動作する。なお、制御部２１と後述する映像音声出力部２６とで、映像処理部を構成している。
【００３０】
制御部２１は、選局モードでは、ＴＶ６０の画面上に、選局番組と、選局番組に含まれる複数の第一放送番組の映像のうちの１つを指し示すカーソルとを表示させる。このカーソルは、後述するリモコン５０の操作により、移動する。また、制御部２１は、カーソルが指し示す第一放送番組の音声を、ＴＶ６０のスピーカ（不図示）から出力させる。
【００３１】
制御部２１は、通常モードでは、ＴＶ６０に、所定の第一放送番組の映像を表示させ、ＴＶ６０のスピーカ（不図示）から第一放送番組の音声を出力させる。
【００３２】
制御部２１は、選局番組録画モードでは、選局番組の映像と選局番組の多重化音声とを、記憶部２５に記憶する。
【００３３】
操作情報受信部２２は、リモコン５０から各種要求を受け付ける。
【００３４】
放送波受信部２３は、映像コンテンツ受信部の一例であり、放送局１０から第二放送波を受け付け、上述した動作モードに応じて、選択されている選局番組または第一放送番組の映像および音声をデコードする。放送波受信部２３は、デコードした映像および音声を、制御部２１に出力する。
【００３５】
通信部２４は、ネットワーク４０を介して、ポータルサーバ３０との間で通信を行う。通信部２４は、マッピング情報取得部および契約情報取得部の一例であり、制御部２１からの制御に応じて、ポータルサーバ３０からマッピング情報３１ａおよび契約情報３１ｂの取得を行う。
【００３６】
記憶部２５は、制御部２１の処理で用いられる一時的なデータを記憶するＲＡＭ（Ｒａｎｄｏｍ  Ａｃｃｅｓｓ  Ｍｅｍｏｒｙ）、制御プログラム等が格納されたＲＯＭ（Ｒｅａｄ  Ｏｎｌｙ  Ｍｅｍｏｒｙ）、および、第一放送番組および選局番組の録画に用いられるハードディスク等を備えて構成されている。記憶部２５には、ＳＴＢ２０を特定するための受信機ＩＤ２５ａ、および、選局番組におけるカーソルの位置情報２５ｂが記憶されている。
【００３７】
なお、カーソルの位置情報２５ｂは、例えば、ＳＴＢ２０を起動させた時に初期化され、選局番組中の左上の第一放送番組の位置に設定される。その後、リモコン５０からカーソルの移動要求が送られてくる毎に、制御部２１は、カーソルの位置情報２５ｂを、リモコン５０から送信される移動要求に応じた位置に更新する。
【００３８】
映像音声出力部２６は、ＴＶ６０とのインターフェイス部であり、映像および音声をＴＶ６０に対して出力する。
【００３９】
［１−１−３．ポータルサーバ３０の構成］
ポータルサーバ３０は、選局番組の表示に必要な情報を記憶し、ＳＴＢ２０からの情報取得要求に応じて、情報取得要求が示す情報をＳＴＢ２０に出力するサーバである。ポータルサーバは、一般的なネットワーク４０を介して、ＳＴＢ２０と通信可能に構成されている。
【００４０】
図５は、ポータルサーバ３０の構成の一例を示すブロック図である。
【００４１】
ポータルサーバ３０は、図５に示すように、記憶部３１と、通信部３２とを備えている。
【００４２】
記憶部３１は、ＲＡＭ、ＲＯＭおよびハードディスク等で構成されており、本実施の形態では、マッピング情報３１ａ、契約情報３１ｂおよびカーソル情報３１ｃを記憶している。
【００４３】
マッピング情報３１ａは、カーソルの位置とカーソルの位置に対応する第一放送番組との対応関係を示す情報であり、全てのユーザに共通の情報である。
【００４４】
図６は、マッピング情報３１ａの一例を示す図である。本実施の形態では、マッピング情報３１ａには、チャンネル（第一放送番組）毎に、当該チャンネルが選択されているときのカーソルの位置を示す（あるいは、当該チャンネルの表示領域を示す）位置情報と、当該チャンネルのネットワークＩＤ、ＴＳ（Ｔｒａｎｓｐｏｒｔ  Ｓｔｒｅａｍ、トランスポートストリーム）ＩＤおよびサービスＩＤ等の選局情報、および、多重化音声から当該チャンネルに対応する音声を抽出するための音声情報を含む対応チャンネル情報とが記憶されている。ネットワークＩＤは、地上デジタル放送、ＢＳ放送等のネットワーク種別を示しており、ＴＳＩＤおよびサービスＩＤは、番組種別を示している。
【００４５】
契約情報３１ｂは、受信機ＩＤ２５ａ別（ユーザ別）に、選局番組に含まれる第一放送番組のうち、視聴するための契約が必要な第二放送番組のそれぞれについて、契約されているか未契約であるかを記憶している。
【００４６】
図７は、契約情報の一例を示す図である。本実施の形態では、契約情報３１ｂは、契約が必要な第二放送番組について、契約が必要であることを示す「要契約」が記憶され、さらに、契約されていることを示す「契約」、または、契約されていないことを示す「未契約」が記憶されている。なお、契約せずに視聴可能な第一放送番組については、「要契約」は記憶されていない。図７では、チャンネル２、４、９が、視聴するために契約が必要な第二放送番組である場合を示している。図７において、チャンネル２については、「要契約」「契約」が記憶され、チャンネル４および９については、「要契約」「未契約」が記憶されている。
【００４７】
カーソル情報３１ｃは、カーソルの画像、および、リモコン５０の操作に対応する移動量を記憶しており、全てのユーザに共通の情報である。カーソルの映像は、例えば、カーソルが第一放送番組を囲む長方形である。カーソルの映像は、ビットマップ等の形式の画像として記憶されていてもよいし、上記長方形の場合、長辺の長さおよび短辺の長さ、線の色および太さ等で示されていても良い。また、移動量は、例えば、リモコン５０の方向キー（矢印キー）を１回押したときの移動量である。詳細には、例えば、図３に示す選局番組の映像の場合、例えば、リモコン５０の右方向キー（あるいは左方向キー）が１回押される毎に、カーソルが１つ右（あるいは左）の第一放送番組に移動すると仮定すると、移動量は、選局番組の映像上の第一放送番組の横方向の長さ（カーソルの長辺の長さ）に相当する。同様に、例えば、リモコン５０の上方向キー（あるいは下方向キー）が１回押される毎に、カーソルが１つ上（あるいは下）の第一放送番組に移動すると仮定すると、移動量は、選局番組の映像上の第一放送番組の縦方向の長さ（カーソルの短辺の長さ）に相当する。
【００４８】
通信部３２は、ネットワーク４０を介して、ＳＴＢ２０の通信部２４との間で通信を行う。
【００４９】
［１−１−４．リモコン５０の構成］
リモコン５０は、本実施の形態では、選局番組が割り当てられた選局キー、第一放送番組が割り当てられたキー、上下左右の方向キー、確定キー、電源キー等、複数のキーを備えて構成されている。
【００５０】
リモコン５０は、押されたキーに対応する要求をＳＴＢ２０に出力する。
【００５１】
リモコン５０は、例えば、選局キーが押された場合、選局番組の視聴要求を出力する。リモコン５０は、例えば、方向キーが押された場合、カーソルの移動要求を出力する。リモコン５０は、例えば、選局番組において、確定キーが押された場合は、第一放送番組の視聴要求を出力する。
【００５２】
［１−１−５．ＴＶ６０の構成］
ＴＶ６０は、例えば、液晶テレビ、あるいは有機ＥＬテレビ等であり、映像を表示する表示画面と音声を出力するスピーカ等の音声出力機器とを備えている。
【００５３】
ＴＶ６０は、ＳＴＢ２０からデコードされた映像信号および音声信号を受け付け、映像の表示および音声の出力を行う。
【００５４】
［１−２．動作］
ＳＴＢ２０の動作について、図８〜図１２を基に説明する。ＳＴＢ２０は、選局番組の表示（選局モード）、第一放送番組の表示（通常モード）、および、選局番組の録画（選局番組録画モード）等を行う。
【００５５】
［１−２−１．選局モード］
選局モードのＳＴＢ２０の動作について、図８を基に説明する。
【００５６】
図８は、選局モードのＳＴＢ２０の動作を示すフローチャートである。
【００５７】
ＳＴＢ２０では、図８に示すように、操作情報受信部２２が、リモコン５０から選局番組の視聴要求を受け付けると、制御部２１が、選局番組を表示するための前処理を行う（Ｓ１００）。
【００５８】
制御部２１は、前処理として、通信部２４を介して、ポータルサーバ３０に対し、マッピング情報３１ａおよび契約情報３１ｂおよびカーソル情報３１ｃを含む選局番組用情報の取得要求と、受信機ＩＤ２５ａとを送信する。ポータルサーバ３０は、選局番組用情報の取得要求を受け付けると、受信機ＩＤ２５ａを用いて、契約情報３１ｂを特定する。
【００５９】
次に、制御部２１は、選局番組を表示するための表示処理を行う（Ｓ１１０）。
【００６０】
図９は、選局番組の表示処理の処理手順を示すフローチャートである。
【００６１】
放送波受信部２３は、第二放送波を受信し、第二放送波から選局番組の映像と多重化音声とをデコードする（Ｓ１１１、放送波を受信するステップ）。放送波受信部２３は、デコードした選局番組の映像と多重化音声とを制御部２１に出力する。
【００６２】
制御部２１は、第二放送波から抽出した選局番組の映像に、カーソルの映像を合成するカーソル映像合成処理と、未契約番組に対するマスク処理とを含む映像処理を行う（Ｓ１１２）。なお、映像処理は、フレーム単位で実行する。
【００６３】
カーソル映像合成処理では、制御部２１は、カーソル情報３１ｃに含まれるカーソルの画像を取得し、あるいは、カーソル情報３１ｃに含まれるカーソルの画像を示す情報からカーソルの画像を生成する。制御部２１は、記憶部２５から、カーソルの位置情報２５ｂを取得する。制御部２１は、選局番組の映像に、カーソルの位置情報２５ｂが示す位置に、カーソルの映像を合成する。
【００６４】
未契約番組に対するマスク処理では、制御部２１は、契約情報３１ｂに基づいて、マスク処理を行う。なお、ここでのマスク処理は、未契約の第二放送番組の映像に対する処理の全般を指しており、未契約の第二放送番組の映像の差し替えのみを指すものではない。
【００６５】
図１０は、図７に示す契約情報３１ｂを用いて、選局番組の映像に対するマスク処理を行った場合の例を示している。図１０では、未契約の第二放送番組であるチャンネル４とチャンネル９に対応する部分に、「未契約」と記載された画像を表示している。
【００６６】
なお、当該第二放送番組を提供する放送事業者の意向によっては、当該第二放送番組の映像を完全に差し替えるのではなく、例えば、「未契約」であることを示す情報と共に、当該第二放送番組の映像をそのまま表示するように構成しても良い。「未契約」であることを示す情報は、例えば、当該第二放送番組の映像上、あるいは、その周辺（枠部分等）に表示される。
【００６７】
また、制御部２１は、「未契約」の第二放送番組であっても、契約情報３１ｂに一時的に未契約でも視聴できることを示す情報が記憶されている場合、あるいは、放送局１０から一時的に未契約でも視聴できる期間が指定されている場合等には、当該第二放送番組に対するマスク処理を行わないようにしてもよい。あるいは、制御部２１は、一時的に未契約でも視聴可能な期間であることを示す情報を、当該第二放送番組の映像あるいはその周辺（枠部分等）に追加してもよい。このように構成すれば、ユーザに対し、第二放送番組への契約を促す（第二放送番組を宣伝する）ことが可能になる。
【００６８】
制御部２１は、図９に示すように、多重化音声から、カーソルが示す第一放送番組の音声を抽出する音声処理を行う（Ｓ１１３）。具体的には、制御部２１は、マッピング情報３１ａから、カーソルの位置情報２５ｂに対応する位置情報を有する第一放送番組を特定し、当該第一放送番組の音声情報を特定する。制御部２１は、特定した音声情報を用いて、多重化音声から当該第一放送番組に対応する音声を抽出する。なお、当該音声処理は、選局モードの間は常に実行される。
【００６９】
制御部２１は、映像処理後の選局番組の映像と、多重化音声から抽出した音声とを、映像音声出力部２６からＴＶ６０に出力する（Ｓ１１４）。なお、ステップＳ１０５は、選局モードの間は常に実行される。
【００７０】
制御部２１は、図８に示すように、リモコン５０が操作されず、リモコン５０から移動要求あるいは第一放送番組の視聴要求が出力されない間は（Ｓ１２０で「操作なし」）、Ｓ１１０を繰り返し実行する。
【００７１】
制御部２１は、操作情報受信部２２が、リモコン５０からカーソルが操作されたことを示す操作情報（カーソルの移動要求）を受け付けると（Ｓ１２０で「カーソル移動」）、音声およびカーソルの表示位置の切り替え処理を行う（Ｓ１３０）。
【００７２】
図１１は、音声およびカーソルの表示位置の切り替え処理の処理手順を示すフローチャートである。
【００７３】
制御部２１は、操作情報受信部２２が、リモコン５０からカーソルの移動要求を受け付けると、まず、記憶部２５から、現在のカーソルの位置情報２５ｂを取得し、カーソルの移動要求に基づいて、カーソルの新しい位置情報を求める（Ｓ１３１）。
【００７４】
制御部２１は、マッピング情報３１ａから、カーソルの新しい位置情報に対応する第一放送番組を特定する（Ｓ１３２）。
【００７５】
制御部２１は、マッピング情報３１ａから、特定した第一放送番組に対応する音声の音声情報を特定する（Ｓ１３３）。これにより、後に実行されるステップＳ１１３において、カーソルの新しい位置情報に対応する第一放送番組の音声が抽出される。
【００７６】
制御部２１は、現在のカーソルの位置情報２５ｂを、カーソルの新しい位置情報を用いて更新する（Ｓ１３４）。これにより、後に実行されるステップＳ１１２において、カーソルが、新しい位置情報が示す位置に合成される。
【００７７】
制御部２１は、操作情報受信部２２が、リモコン５０から決定ボタンが押下されたことを示す操作情報（第一放送番組の視聴要求）を受け付けると（Ｓ１２０で「選択ボタン入力」）、選択された第一放送番組を表示する通常モードに移行する（Ｓ１４０、モード切り替え処理）。
【００７８】
図１２は、通常番組の表示処理の処理手順を示すフローチャートである。
【００７９】
制御部２１は、カーソルの位置情報２５ｂを取得し（Ｓ１４１）、マッピング情報３１ａから、カーソルの位置情報２５ｂに対応する番組情報、ここでは、第二放送波における第一放送番組の対応チャンネル情報を取得する（Ｓ１４２）。
【００８０】
制御部２１は、ステップＳ１４２で取得した対応チャンネル情報を用いて第二放送波から選択された第一放送番組の映像および音声をデコードし、第一放送番組の縮小されていない映像と音声とを取得し、映像音声出力部２６からＴＶ６０に出力する（Ｓ１４３）。ＴＶ６０では、第一放送番組の映像が全画面表示され、第一放送番組の音声がスピーカから出力される。
【００８１】
これにより、選局番組を表示する選局モードから、第一放送番組を表示する通常モードに移行することができる。
【００８２】
［１−２−２．選局番組録画モード］
選局番組録画モードのＳＴＢ２０の動作について説明する。
【００８３】
本実施の形態のＳＴＢ２０は、選局番組を録画することが可能である。選局番組は、放送番組の１つとして第二放送波に含められているため、通常の第一放送番組と同様に、録画することが可能である。録画は、記憶部２５のハードディスクを用いて行われるが、ＳＴＢ２０が、例えば、ＤＶＤ（Ｄｉｇｉｔａｌ  Ｖｅｒｓａｔｉｌｅ  Ｄｉｓｃ）あるいはＢＤ（Ｂｌｕ−ｒａｙ（登録商標）  Ｄｉｓｃ）等の他のメディアへの録画機能を備える場合には、当該機能が利用されてもよい。
【００８４】
なお、本実施の形態の制御部２１は、第二放送波から抽出した選局番組の映像を、上述した映像処理（図９のＳ１１２）を行わずに、記憶部２５に記憶する。また、第二放送波から抽出した選局番組の多重化音声を記憶部２５に記憶する。
【００８５】
制御部２１は、録画した選局番組の再生時は、図９に示すステップＳ１１１を除き、選局モードと同じ処理を実行する。制御部２１は、録画した選局番組の再生時は、ステップＳ１１１において、第二放送波に代えて、記憶部２５から選局番組の映像と多重化音声とを取得する。
【００８６】
また、制御部２１は、録画した選局番組の再生時において、第一放送番組の１つが選択された場合は、当該第一放送番組の映像を拡大して全画面表示する。なお、音声については、カーソルが移動した時から、多重化音声に含まれる当該第一放送番組の音声を抽出して出力していることから、引き続き、当該第一放送番組の音声を出力する。
【００８７】
本実施の形態では、再生時におけるマッピング情報３１ａ等を用いて、映像処理（図９のＳ１１２）を行うため、録画時に未契約であっても、再生時に契約されていれば、選局番組において、第二放送番組をそのまま（マスクされることなく）見ることができる。
【００８８】
［１−３．効果等］
本実施の形態のＳＴＢ２０は、選局モードにおいて、放送局１０が生成した複数の第一放送番組の縮小された映像を表示する選局番組を表示する。さらに、ＳＴＢ２０は、選局番組上で第一放送番組の選択操作が行われると、当該第一放送番組を表示する通常モードに移行する。
【００８９】
選局番組では、複数の第一放送番組の映像（動画）が同時に表示されるので、ＴＶ６０を視聴するユーザが視覚的に番組を認識することが可能になる。これにより、ユーザによる番組の選局をスムーズにし、操作回数の低減による消費電力の削減を図ることが可能になる。
【００９０】
なお、一般的に、ＳＴＢ２０側で動画のサムネイル画像を表示しようとすると、１つのサムネイル画像につき１つのチューナが必要になる。本実施の形態では、放送局１０側で選局番組を生成するため、ＳＴＢ２０側では、第一放送番組の数のチューナ部を備えることなく、複数の第一放送番組の映像を同時に表示することが可能になる。
【００９１】
また、本実施の形態では、放送局１０が選局番組を生成するので、ＳＴＢ２０側では、特別な映像処理能力を必要としない。
【００９２】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。
【００９３】
そこで、以下、他の実施の形態を例示する。
【００９４】
（１）上記実施の形態では、選局番組の一例として、図３に示すように、選局番組であることを表示する第一領域１０１と、合成された第一放送番組の映像を表示する第二領域１０２とを備えている場合を例に説明したが、これに限るものではない。第二領域１０２の周辺領域（枠部分）に、チャンネル番号等の情報を表示するように構成してもよい。
【００９５】
（２）上述した実施の形態において、例えば、表示したい第一放送番組数よりも、１つの画面上に表示できる第二領域１０２の数が少ない場合等には、選局番組を複数ページで構成してもよい。
【００９６】
この場合において、各ページは、ニュースあるいはスポーツ、映画といったジャンル別に設定してもよい。
【００９７】
なお、各ページに設定される第二領域１０２の数は、必ずしも同じである必要はない。また、各ページに設定される第二領域１０２の大きさは、必ずしも同じである必要はない。さらに、同一ページ内においても、第二領域１０２の大きさは、同じである必要はない。
【００９８】
例えば、映画等については、第二領域１０２の大きさを比較的大きく設定し（例えば、１２分割）、ニュース等については、第二領域１０２の大きさを比較的小さく設定（例えば、１６分割）してもよい。
【００９９】
また、第二領域１０２が余った場合（例えば、第一放送番組の数が、１ページに設定された第二領域１０２の数の倍数ではない場合等）には、余った第二領域１０２に、他の任意の情報を表示してもよい。他の任意の情報としては、例えば、カーソルで選択されている第一放送番組の情報、カーソルで選択されている第一放送番組に関連する商品の情報、他のお勧め番組の情報、ＴＶショッピングの画像等が考えられる。この場合、余った複数の第二領域１０２を結合して、サイズの大きい領域を作成してもよい。
【０１００】
（３）上記実施の形態では、制御部２１は、選局番組録画モードにおいて、マスク処理を（図９のＳ１１２）を実施していない映像を録画するように構成したが、マスク処理を実行した選局番組の映像を記憶するように構成しても良い。
【０１０１】
（４）上記実施の形態では、音声について、放送局１０が多重化音声を生成し、第二放送波に含ませるように構成したが、これに限るものではない。
【０１０２】
例えば、ＳＴＢ２０の放送波受信部２３が、２つのチューナを備える場合には、一方のチューナで選局番組の映像をデコードし、他方のチューナで、多重化音声ではなく、選局番組のカーソルで選択された第一放送番組の通常の音声をデコードするように構成してもよい。通常の第一放送番組の対応チャンネル情報は、上記実施の形態で説明したように、記憶部２５に記憶されたカーソルの位置情報２５ｂと、ポータルサーバ３０から取得したマッピング情報３１ａから得られる。
【０１０３】
この場合には、放送局１０は、多重化音声を生成および出力する必要がなくなる。但し、選局番組の録画のために、放送局１０は、多重化音声を生成するように構成してもよい。
【０１０４】
（５）上記実施の形態では、ポータルサーバ３０から、契約情報３１ｂを取得するように構成したが、第二放送波を順番にチューニングして、未契約か否かを判定するように構成してもよい。
【０１０５】
（６）上記実施の形態では、ＳＴＢ２０の通信部２４は、選局モードに移行した際に、マッピング情報３１ａおよび契約情報３１ｂをポータルサーバ３０から取得するように構成したが、これに限るものではない。マッピング情報３１ａおよび契約情報３１ｂの取得タイミングは、ＳＴＢ２０の電源投入時等、他のタイミングであってもよい。あるいは、マッピング情報３１ａおよび契約情報３１ｂを、予めＳＴＢ２０内にダウンロードしておき、更新された時に、放送局１０あるいはポータルサーバ３０側から通知し、放送波受信部２３あるいは通信部２４から受信するように構成してもよい。
【０１０６】
（７）上記実施の形態では、マッピング情報３１ａおよびカーソル情報３１ｃをポータルサーバ３０から取得したが、これに限るものではない。放送局１０がこれらの情報を含む第二放送波を生成し、ＳＴＢ２０が、第二放送波からこれらの情報を抽出するように構成してもよい。
【０１０７】
（８）上述した実施の形態では、映像コンテンツが、放送局１０からの有線放送の放送波（第二放送波）である場合を例に説明したが、これに限るものではない。映像コンテンツは、例えば、インターネット上のＩＰコンテンツ等であってもよい。
【０１０８】
同様に、上述した実施の形態では、映像受信装置は、放送局１０からの有線放送の放送波（第二放送波）を受信するＳＴＢである場合を例に説明したが、これに限るものではなく、例えば、インターネット上のＩＰコンテンツを受信する装置等であってもよい。
【０１０９】
（９）上述した実施の形態では、制御部は、ＣＰＵまたは演算プロセッサであるとしたが、映像受信装置を制御するものであれば、物理的にどのように構成してもよい。なお、制御部２１をＣＰＵ（あるいはマイコン）で構成し、制御プログラムの実行により映像受信装置を制御するように構成すれば、制御プログラムの変更により処理内容を変更できるので、制御部２１の設計の自由度を高めることができる。また、制御部２１は、ハードロジックで実現してもよい。制御部２１をハードロジックで実現すれば、処理速度の向上に有効である。制御部２１は、１つの素子で構成してもよいし、物理的に複数の素子で構成してもよい。複数の素子で構成する場合、特許請求の範囲に記載の各制御を別の素子で実現してもよい。この場合、それらの複数の素子で一つの制御部２１を構成すると考えることができる。また、制御部２１と別の機能を有する部材とを１つの素子で構成してもよい。
【０１１０】
以上のように、本開示における技術の例示として、実施の形態を説明した。そのために、添付図面および詳細な説明を提供した。
【０１１１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１３】
本開示は、複数の第一放送番組の動画を含む選局番組を表示し、第一放送番組が選択されたときに当該第一放送番組の表示を行うことができる映像受信装置に適用可能である。具体的には、ＣＡＴＶ（ケーブルテレビ）等の有線放送のＳＴＢ、あるいは、ＩＰコンテンツを受信する装置等、複数の番組を配信する放送局からの映像コンテンツを受信する映像受信装置に、本開示は適用可能である。
【符号の説明】
【０１１４】
１０    放送局
１１    放送設備
１２、１２１    チューナ部
１３    選局映像生成部
１４    音声多重化部
１５    混合部
２０    ＳＴＢ
２１    制御部
２２    操作情報受信部
２３    放送波受信部
２４    通信部
２５    記憶部
２５ａ  受信機ＩＤ
２５ｂ  カーソルの位置情報
３０    ポータルサーバ
３１    記憶部
３１ａ  マッピング情報
３１ｂ  契約情報
３１ｃ  カーソル情報
３２    通信部
４０    ネットワーク
５０    リモコン
６０    ＴＶ
【図１】
2014192756.tif 000003
【図２】
2014192756.tif 000004
【図３】
2014192756.tif 000005
【図４】
2014192756.tif 000006
【図５】
2014192756.tif 000007
【図６】
2014192756.tif 000008
【図７】
2014192756.tif 000009
【図８】
2014192756.tif 000010
【図９】
2014192756.tif 000011
【図１０】
2014192756.tif 000012
【図１１】
2014192756.tif 000013
【図１２】
2014192756.tif 000014